(57)【要約】【課題】発熱源の冷却性能の低下を抑制できる冷却装置を提供する。【解決手段】発熱源を冷却する冷却装置１は、冷媒を圧縮する圧縮機１２と、冷媒と外気との間で熱交換する熱交換器１４と、冷媒を用いて発熱源を冷却する冷却部３０と、圧縮機１２から吐出された冷媒を熱交換器１４を介して冷却部３０へ流す第一通路と、圧縮機１２が停止したときに、動力を加えることなく熱交換器１４と冷却部３０との間に冷媒を循環させる第二通路と、第一通路の連通と第二通路の連通とを切り替える切替弁と、を備える。冷却部３０は、筐体と、筐体に冷媒が流入する流入口と、筐体から冷媒が流出する流出口とを有する。流入口は流出口よりも低く配置されている。【選択図】図１
2014051118.tif 000002
【特許請求の範囲】
【請求項１】
発熱源を冷却する冷却装置であって、
冷媒を圧縮する圧縮機と、
前記冷媒と外気との間で熱交換する熱交換器と、
前記冷媒を用いて前記発熱源を冷却する冷却器と、
前記圧縮機から吐出された前記冷媒を前記熱交換器を介して前記冷却器へ流す第一通路と、
前記圧縮機が停止したときに、動力を加えることなく前記熱交換器と前記冷却器との間に前記冷媒を循環させる第二通路と、
前記第一通路の連通と前記第二通路の連通とを切り替える切替弁と、を備え、
前記冷却器は、筐体と、前記筐体に前記冷媒が流入する流入口と、前記筐体から前記冷媒が流出する流出口とを有し、
前記流入口は前記流出口よりも低く配置されている、冷却装置。
【請求項２】
前記冷媒が前記第一通路を流れるときと、前記冷媒が前記第二通路を流れるときと、の前記冷却器内の前記冷媒の流れ方向を逆方向とする、請求項１に記載の冷却装置。
【請求項３】
前記冷却器は、前記筐体の内部と外部とを連通する第一冷媒出入口および第二冷媒出入口を有し、前記第一冷媒出入口と前記第二冷媒出入口との一方が前記流入口として機能し、他方が前記流出口として機能し、
前記冷却器は、前記第一冷媒出入口が前記第二冷媒出入口よりも低く配置される第一姿勢と、前記第二冷媒出入口が前記第一冷媒出入口よりも低く配置される第二姿勢と、を切り替える姿勢切替部をさらに有し、
前記姿勢切替部は、前記冷媒が前記第一冷媒出入口を経由して前記筐体に流入し前記筐体から前記第二冷媒出入口を経由して流出するとき、前記冷却器を第一姿勢とし、前記冷媒が前記第二冷媒出入口を経由して前記筐体に流入し前記筐体から前記第一冷媒出入口を経由して流出するとき、前記冷却器を第二姿勢とする、請求項１または請求項２に記載の冷却装置。
【発明の詳細な説明】
【技術分野】
【０００１】
本発明は、冷却装置に関し、特に、蒸気圧縮式冷凍サイクルを利用して発熱源を冷却する冷却装置に関する。
【背景技術】
【０００２】
近年、環境問題対策の一つとして、モータの駆動力により走行するハイブリッド車、燃料電池車、電気自動車などが注目されている。このような車両において、モータ、ジェネレータ、インバータ、コンバータおよびバッテリなどの電気機器は、電力の授受によって発熱する。そのため、これらの電気機器を冷却する必要がある。そこで、車両用空調装置として使用される蒸気圧縮式冷凍サイクルを利用して、発熱体を冷却する技術が提案されている（たとえば、特開２００７−６９７３３号公報（特許文献１）、特開２００５−９０８６２号公報（特許文献２）参照）。
【０００３】
一方、発熱体を冷却する冷却器に関する技術が種々提案されている（たとえば特開平９−２３０８１号公報（特許文献３）、特開２００１−１６８２５６号公報（特許文献４）、特開平８−２５８５４８号公報（特許文献５）、特開２００８−２５３０５７号公報（特許文献６）参照）。
【先行技術文献】
【特許文献】
【０００４】
【特許文献１】特開２００７−６９７３３号公報
【特許文献２】特開２００５−９０８６２号公報
【特許文献３】特開平９−２３０８１号公報
【特許文献４】特開２００１−１６８２５６号公報
【特許文献５】特開平８−２５８５４８号公報
【特許文献６】特開２００８−２５３０５７号公報
【発明の概要】
【発明が解決しようとする課題】
【０００５】
蒸気圧縮式冷凍サイクルを利用して発熱源を冷却する冷却装置においては、気相および液相間の状態変化を伴う冷媒が利用されるため、冷媒がガス化し易い、冷媒の気相および液相間の比重差が大きい、冷媒サイクルの応答性が遅いといった特性がある。このような冷却装置において、発熱源で発生する熱量の変動、外気温度の変動、発熱源と熱交換する冷媒の流量の変動などの影響に伴って、発熱源の冷却性能が一時的に低下し、冷却器内の局所的な温度上昇をもたらす場合がある。
【０００６】
本発明は上記の課題に鑑みてなされたものであり、その主たる目的は、発熱源の冷却性能の低下を抑制できる冷却装置を提供することである。
【課題を解決するための手段】
【０００７】
本発明に係る冷却装置は、発熱源を冷却する冷却装置であって、冷媒を圧縮する圧縮機と、冷媒と外気との間で熱交換する熱交換器と、冷媒を用いて発熱源を冷却する冷却器と、圧縮機から吐出された冷媒を熱交換器を介して冷却器へ流す第一通路と、圧縮機が停止したときに、動力を加えることなく熱交換器と冷却器との間に冷媒を循環させる第二通路と、第一通路の連通と第二通路の連通とを切り替える切替弁と、を備える。冷却器は、筐体と、筐体に冷媒が流入する流入口と、筐体から冷媒が流出する流出口とを有する。流入口は流出口よりも低く配置されている。
【０００８】
上記冷却装置において好ましくは、冷媒が第一通路を流れるときと、冷媒が第二通路を流れるときと、の冷却器内の冷媒の流れ方向を逆方向とする。
【０００９】
上記冷却装置において好ましくは、冷却器は、筐体の内部と外部とを連通する第一冷媒出入口および第二冷媒出入口を有し、第一冷媒出入口と第二冷媒出入口との一方が流入口として機能し、他方が流出口として機能する。冷却器は、第一冷媒出入口が第二冷媒出入口よりも低く配置される第一姿勢と、第二冷媒出入口が第一冷媒出入口よりも低く配置される第二姿勢と、を切り替える姿勢切替部をさらに有する。姿勢切替部は、冷媒が第一冷媒出入口を経由して筐体に流入し筐体から第二冷媒出入口を経由して流出するとき、冷却器を第一姿勢とし、冷媒が第二冷媒出入口を経由して筐体に流入し筐体から第一冷媒出入口を経由して流出するとき、冷却器を第二姿勢とする。
【発明の効果】
【００１０】
本発明の冷却装置によると、発熱源の冷却性能の低下を抑制でき、冷却器内の局所的な温度上昇の発生を回避することができる。
【図面の簡単な説明】
【００１１】
【図１】本実施の形態の冷却装置の構成を示す模式図である。
【図２】冷却器の構成を示す模式図である。
【図３】冷却装置の第二の運転モードを示す模式図である。
【図４】姿勢を切り替えた状態の冷却器を示す模式図である。
【図５】冷却装置の第三の運転モードを示す模式図である。
【図６】冷却装置の第四の運転モードを示す模式図である。
【発明を実施するための形態】
【００１２】
以下、図面に基づいてこの発明の実施の形態を説明する。なお、以下の図面において、同一または相当する部分には同一の参照番号を付し、その説明は繰返さない。
【００１３】
［冷却装置１の構成］
図１は、本実施の形態の冷却装置１の構成を示す模式図である。図１に示すように、冷却装置１は、蒸気圧縮式冷凍サイクル１０を備える。蒸気圧縮式冷凍サイクル１０は、たとえば、車両の車内の冷房を行なうために、車両に搭載される。蒸気圧縮式冷凍サイクル１０を用いた冷房は、たとえば、冷房を行なうためのスイッチがオンされた場合、または、自動的に車両の室内の温度を設定温度になるように調整する自動制御モードが選択されており、かつ、車室内の温度が設定温度よりも高い場合に行なわれる。
【００１４】
蒸気圧縮式冷凍サイクル１０は、圧縮機１２と、第一熱交換器としての熱交換器１４と、第二熱交換器としての熱交換器１５と、減圧器の一例としての膨張弁１６と、第三熱交換器としての熱交換器１８と、を含む。
【００１５】
圧縮機１２は、車両に搭載されたモータまたはエンジンを動力源として作動し、冷媒ガスを断熱的に圧縮して過熱状態冷媒ガスとする。圧縮機１２は、蒸気圧縮式冷凍サイクル１０の作動時に熱交換器１８から流通する冷媒を吸入圧縮して、冷媒通路２１に高温高圧の気相冷媒を吐出する。圧縮機１２は、冷媒通路２１に冷媒を吐出することで、蒸気圧縮式冷凍サイクル１０に冷媒を循環させる。
【００１６】
熱交換器１４，１５は、冷媒を流通するチューブと、チューブ内を流通する冷媒と熱交換器１４，１５の周囲の空気との間で熱交換するためのフィンと、を含む。熱交換器１４，１５は、冷媒と外気の間で熱交換を行ない、圧縮機１２において圧縮された過熱状態冷媒ガスを、外部媒体へ等圧的に放熱させて冷媒液とする。圧縮機１２から吐出された高圧の気相冷媒は、熱交換器１４，１５における冷却風と冷媒との熱交換により周囲に放熱し冷却される。
【００１７】
冷却風は、車両の走行によって発生する自然の通風によって熱交換器１４，１５に供給されてもよい。または冷却風は、コンデンサファンもしくはエンジン冷却用のラジエータファンなどの、外気供給用ファンからの強制通風によって熱交換器１４，１５に供給されてもよい。熱交換器１４，１５における熱交換によって、冷媒の温度は低下し冷媒は凝縮（液化）する。
【００１８】
膨張弁１６は、冷媒通路２３を流通する高圧の液相冷媒を小さな孔から噴射させることにより膨張させて、低温・低圧の霧状冷媒に変化させる。膨張弁１６は、熱交換器１４，１５によって凝縮された冷媒液を減圧して、気液混合状態の湿り蒸気とする。なお、冷媒液を減圧するための減圧器は、絞り膨張する膨張弁１６に限られず、毛細管であってもよい。膨張弁１６は、温度式膨張弁であってもよく、電気式の膨張弁であってもよい。
【００１９】
熱交換器１８は、冷媒を流通するチューブと、チューブ内を流通する冷媒と熱交換器１８の周囲の空気との間で熱交換するためのフィンと、を含む。チューブ内には、湿り蒸気状態の冷媒が流通する。熱交換器１８は、その内部を流通する霧状冷媒が気化することによって、熱交換器１８に接触するように導入された周囲の空気の熱を吸収する。熱交換器１８は、空調用空気と冷媒との間で熱交換する。熱交換器１８を経由して蒸気圧縮式冷凍サイクル１０を循環する冷媒と、空調用空気と、の熱交換によって、空調用空気の温度が調節される。
【００２０】
熱交換器１８は、膨張弁１６によって減圧された冷媒を用いて、冷媒の湿り蒸気が蒸発して冷媒ガスとなる際の気化熱を、車両の室内へ流通する空調用空気から吸収して、車両の室内の冷房を行なう。熱交換器１８において冷媒に吸熱され温度が低下した空調用空気が車両の室内に供給されることによって、車両の室内の冷房が行なわれる。冷媒は、チューブ内を流通する際に、フィンを経由して空調用空気の熱を蒸発潜熱として吸収することによって蒸発し低圧高温ガスとなり、さらに顕熱によって過熱蒸気になる。気化した冷媒は、冷媒通路２５を経由して圧縮機１２へ戻る。圧縮機１２は、熱交換器１８から流通する冷媒を圧縮する。
【００２１】
蒸気圧縮式冷凍サイクル１０はまた、圧縮機１２と熱交換器１４とを連通する冷媒通路２１と、熱交換器１４と熱交換器１５とを連通する冷媒通路２２と、熱交換器１５と膨張弁１６とを連通する冷媒通路２３と、膨張弁１６と熱交換器１８とを連通する冷媒通路２４と、熱交換器１８と圧縮機１２とを連通する冷媒通路２５と、を含む。
【００２２】
冷媒通路２１は、冷媒を圧縮機１２から熱交換器１４に流通させるための通路である。冷媒は、冷媒通路２１を経由して、圧縮機１２と熱交換器１４との間を、圧縮機１２の出口から熱交換器１４の入口へ向かって流れる。冷媒通路２２，２３は、冷媒を熱交換器１４から膨張弁１６に流通させるための通路である。冷媒は、冷媒通路２２，２３を経由して、熱交換器１４と膨張弁１６との間を、熱交換器１４の出口から膨張弁１６の入口へ向かって流れる。
【００２３】
冷媒通路２４は、冷媒を膨張弁１６から熱交換器１８に流通させるための通路である。冷媒は、冷媒通路２４を経由して、膨張弁１６と熱交換器１８との間を、膨張弁１６の出口から熱交換器１８の入口へ向かって流れる。冷媒通路２５は、冷媒を熱交換器１８から圧縮機１２に流通させるための通路である。冷媒は、冷媒通路２５を経由して、熱交換器１８と圧縮機１２との間を、熱交換器１８の出口から圧縮機１２の入口へ向かって流れる。
【００２４】
蒸気圧縮式冷凍サイクル１０は、圧縮機１２、熱交換器１４，１５、膨張弁１６および熱交換器１８が、冷媒通路２１〜２５によって連結されて構成される。なお、蒸気圧縮式冷凍サイクル１０の冷媒としては、たとえば二酸化炭素、プロパンやイソブタンなどの炭化水素、アンモニア、フロン類または水などを用いることができる。
【００２５】
冷却装置１は、熱交換器１４の出口側と圧縮機１２の入口側とを接続する、並列に接続された二つの冷媒の経路を備える。熱交換器１４から圧縮機１２へ向かって流れる冷媒の経路は、冷媒通路２２〜２５を含む。熱交換器１４から圧縮機１２へ向かって流れる冷媒の経路はまた、冷媒通路２２と冷却部３０とを連通する冷媒通路３４と、冷却部３０と、冷却部３０と冷媒通路２５とを連通する冷媒通路３６と、を含む。冷媒通路３４は冷媒通路２２に接続されており、冷媒通路３４を経由して、冷媒通路２２から冷却部３０へ冷媒液が流れる。冷媒通路３６は冷媒通路２５に連結されており、冷却部３０を通過した冷媒は、冷媒通路３６を経由して、冷媒通路２５へ戻る。
【００２６】
冷却装置１は、冷媒通路２２〜２５と並列に配置された冷媒の経路を備え、冷却部３０は、当該冷媒の経路上に設けられている。冷却部３０は、熱交換器１４から圧縮機１２へ向けて流れる冷媒の経路において並列に接続された複数の通路のうちの、一方に設けられている。冷却部３０は、電気自動車に搭載される電気機器であるＥＶ（Ｅｌｅｃｔｒｉｃ  Ｖｅｈｉｃｌｅ）機器と、冷媒が内部を流通する冷却器とを含む。ＥＶ機器は、発熱源の一例である。冷却器の入口側は冷媒通路３４に接続され、冷却器の出口側は冷媒通路３６に接続される。
【００２７】
冷媒通路３４は、冷却部３０よりも上流側の冷媒の経路であり、冷媒通路３４を経由して冷却部３０へ冷媒が流入する。冷媒通路３４は、熱交換器１４で冷却された気液混合状態の冷媒が冷却部３０に流れるための通路である。冷媒通路３６は、冷却部３０よりも下流側の冷媒の経路であり、冷媒は、冷却部３０から流出して冷媒通路３６へ流れ込む。冷媒通路３６は、冷却部３０から冷媒通路２５に冷媒を戻すための通路である。
【００２８】
熱交換器１４から流出した冷媒液は、冷媒通路３４を経由して、冷却部３０へ向かって流通する。冷却部３０へ流通し、冷却器を経由して流れる冷媒は、発熱源としてのＥＶ機器と冷媒との温度差に応じて、ＥＶ機器から熱を奪って、ＥＶ機器を冷却する。冷却部３０は、熱交換器１４において冷却され冷媒通路３４を経由して冷却器へ流れる気液二相状態の冷媒を用いて、ＥＶ機器を冷却する。冷却部３０において、冷却器内を流通する冷媒と、ＥＶ機器と、が熱交換することにより、ＥＶ機器は冷却され、冷媒は加熱される。冷媒はさらに、冷却部３０から冷媒通路３６を経由して流れ、冷媒通路２５を経由して圧縮機１２へ至る。
【００２９】
冷却部３０は、冷却器においてＥＶ機器と冷媒との間で熱交換が可能な構造を有するように設けられる。本実施の形態においては、冷却部３０は、たとえば、ＥＶ機器の筐体に冷却器の外周面が直接接触するように形成された冷却器を有する。冷却器は、ＥＶ機器の筐体と隣接する部分を有する。当該部分において、冷却器を流通する冷媒と、ＥＶ機器との間で、熱交換が可能となる。
【００３０】
ＥＶ機器は、蒸気圧縮式冷凍サイクル１０の熱交換器１４から圧縮機１２に至る冷媒の経路の一部を形成する冷却器の外周面に直接接続されて、冷却される。冷媒とＥＶ機器とが直接熱交換してもよく、または、冷媒とＥＶ機器を流れる水や油などの二次媒体とが熱交換してもよい。冷却器の外部にＥＶ機器が配置されるので、冷却器の内部を流通する冷媒の流れにＥＶ機器が干渉することはない。そのため、蒸気圧縮式冷凍サイクル１０の圧力損失は増大しないので、圧縮機１２の動力を増大させることなく、ＥＶ機器を冷却することができる。
【００３１】
代替的には、冷却部３０は、ＥＶ機器と冷却器との間に介在して配置された任意の公知の伝熱装置を備えてもよい。この場合ＥＶ機器は、冷却器の外周面に伝熱装置を介して接続され、ＥＶ機器から冷却器へ伝熱装置を経由して熱伝達することにより、冷却される。伝熱装置として、たとえばウィック式などのヒートパイプを使用することができる。ＥＶ機器をヒートパイプの加熱部とし冷却器をヒートパイプの冷却部とすることで、冷却器とＥＶ機器との間の熱伝達効率が高められるので、ＥＶ機器の冷却効率を向上できる。
【００３２】
伝熱装置によってＥＶ機器から冷却器へ確実に熱伝達することができるので、ＥＶ機器と冷却器との間に距離があってもよく、ＥＶ機器に冷却器を接触させるための経路を複雑に配置する必要がない。その結果、ＥＶ機器の配置が制限されることがなく、ＥＶ機器の配置の自由度を向上することができる。
【００３３】
ＥＶ機器は、電力の授受によって発熱する電気機器を含む。電気機器は、たとえば、直流電力を交流電力に変換するためのインバータ、回転電機であるモータジェネレータ、蓄電装置であるバッテリ、バッテリの電圧を昇圧させるための昇圧コンバータ、バッテリの電圧を降圧するためのＤＣ／ＤＣコンバータなどの、少なくともいずれか一つを含む。バッテリは、リチウムイオン電池あるいはニッケル水素電池等の二次電池である。バッテリに代えてキャパシタが用いられてもよい。
【００３４】
［冷却装置１の動作］
冷媒は、圧縮機１２と熱交換器１４，１５と膨張弁１６と熱交換器１８とが冷媒通路２１〜２５によって順次接続された冷媒循環流路を通って、蒸気圧縮式冷凍サイクル１０内を循環する。冷媒はまた、熱交換器１４の出口の冷媒通路２２から冷媒通路３４へ流れ、冷却部３０へ流入してＥＶ機器を冷却し、冷却部３０から冷媒通路３６を経由して圧縮機１２の入口側の冷媒通路２５へ戻る。圧縮機１２の起動中の、圧縮機１２から吐出された冷媒が熱交換器１４を介して冷却部３０へ流れるときの冷媒の経路は、第一通路を形成する。たとえば図１に示す場合、冷媒通路２１、冷媒通路２２、冷媒通路３４、冷媒通路３６および冷媒通路２５が、第一通路を形成する。
【００３５】
冷媒が第一通路を経由して流れ発熱源を冷却するときの、冷媒の状態について説明する。圧縮機１２に吸入された冷媒は、圧縮機１２において等比エントロピー線に沿って断熱圧縮される。圧縮するに従って冷媒の圧力と温度とが上昇し、冷媒は、圧縮機１２の出口において高温高圧の過熱度の大きい過熱蒸気になる。
【００３６】
圧縮機１２において断熱圧縮された高温高圧の過熱蒸気状態の冷媒は、熱交換器１４へと流れ、熱交換器１４において冷却される。圧縮機１２から吐出された高圧の気相冷媒は、熱交換器１４において周囲に放熱し冷却されることによって、凝縮（液化）する。熱交換器１４における外気との熱交換によって、冷媒の温度は低下し冷媒は液化する。熱交換器１４へ入った高圧の冷媒蒸気は、熱交換器１４において等圧のまま過熱蒸気から乾き飽和蒸気になり、凝縮潜熱を放出し徐々に液化して、飽和液と飽和蒸気とが混合した気液混合状態の湿り蒸気になる。
【００３７】
熱交換器１４で完全に液化しない程度まで冷やされた気液二相状態の冷媒は、冷媒通路３４を経由して冷却部３０の冷却器へ流れ、ＥＶ機器を冷却する。冷却部３０において、熱交換器１４で凝縮された気液二相状態の冷媒に熱を放出することで、ＥＶ機器が冷却される。ＥＶ機器との熱交換により、冷媒が加熱され、冷媒の乾き度が増大する。冷却部３０においてＥＶ機器から潜熱を受け取って冷媒が気化することにより、冷却部３０から摺流する冷媒の乾き度は、冷却部３０へ流入する冷媒の乾き度に比べて、より大きくなっている。冷却部３０から流出した冷媒は、冷媒通路３６を経由して、冷媒通路２５へ戻る。
【００３８】
熱交換器１４で冷却された湿り蒸気状態の冷媒はまた、冷媒通路２２を経由して、熱交換器１５に流入する。冷媒の湿り蒸気は、熱交換器１５において周囲に放熱し外気と熱交換して冷却されることによりさらに凝縮され、冷媒の全部が凝縮すると飽和液になり、さらに顕熱を放出して過冷却された過冷却液になる。冷媒は、熱交換器１５において、飽和温度以下にまで冷却される。熱交換器１５で冷媒を過冷却液にするのは、その後の膨張弁１６での減圧量、冷媒流量および冷房能力の制御を容易にするためである。
【００３９】
熱交換器１５で過冷却液まで冷却された冷媒は、冷媒通路２３を経由して膨張弁１６に流入する。膨張弁１６において、過冷却液状態の冷媒は絞り膨張され、比エンタルピーは変化せず温度と圧力とが低下して、低温低圧の気液混合状態の湿り蒸気となる。
【００４０】
膨張弁１６から出た湿り蒸気状態の冷媒は、冷媒通路２４を経由して熱交換器１８へ流入する。熱交換器１８のチューブ内には、湿り蒸気状態の冷媒が流入する。熱交換器１８は、その内部を流通する霧状冷媒が気化することによって、熱交換器１８に接触するように導入された空調用空気の熱を吸収する。熱交換器１８は、膨張弁１６によって減圧された冷媒を用いて、冷媒の湿り蒸気が蒸発して冷媒ガスとなる際の気化熱を、車両の室内へ流通する空調用空気から吸収して、車両の室内の冷房を行なう。熱が熱交換器１８に吸収されることによって温度が低下した空調用空気が車両の室内に再び戻されることによって、車両の室内の冷房が行なわれる。
【００４１】
冷媒は、熱交換器１８のチューブ内を流通する際に、フィンを経由して車両の室内の空気の熱を蒸発潜熱として吸収することによって、等圧のまま蒸発する。全ての冷媒が乾き飽和蒸気になると、さらに顕熱によって冷媒蒸気は温度上昇して、過熱蒸気となる。冷房運転時には、熱交換器１８において高温の空調用空気と冷媒とが熱交換することにより空調用空気が冷却され、空調用空気の温度が低下し、冷媒は空調用空気からの熱伝達を受けて加熱される。熱交換器１８で加熱された冷媒は、冷媒通路２５へ流出する。
【００４２】
冷媒通路２５において、ＥＶ機器を冷却した冷媒と、熱交換器１８において空調用空気を冷却した冷媒とが混合される。その後冷媒は、圧縮機１２に吸入され、圧縮機１２において冷媒は圧縮される。
【００４３】
冷媒はこのようなサイクルに従って、圧縮、凝縮、絞り膨張、蒸発の状態変化を連続的に繰り返す。なお、上述した蒸気圧縮式冷凍サイクルの説明では、理論冷凍サイクルについて説明しているが、実際の蒸気圧縮式冷凍サイクル１０では、圧縮機１２における損失、冷媒の圧力損失および熱損失を考慮する必要があるのは勿論である。
【００４４】
蒸気圧縮式冷凍サイクル１０の運転中に、冷媒は、蒸発器として作用する熱交換器１８において蒸発する際に気化熱を車両の室内の空気から吸収して、車室内の冷房を行なう。加えて、熱交換器１４から流出した冷媒が冷却部３０へ流通し、ＥＶ機器と熱交換することでＥＶ機器を冷却する。冷却装置１は、車両に搭載された発熱源であるＥＶ機器を、車両の室内の空調用の蒸気圧縮式冷凍サイクル１０を利用して、冷却する。なお、ＥＶ機器を冷却するために必要とされる温度は、少なくともＥＶ機器の温度範囲として目標となる温度範囲の上限値よりも低い温度であることが望ましい。
【００４５】
熱交換器１８において被冷却部を冷却するために設けられた蒸気圧縮式冷凍サイクル１０を利用して、ＥＶ機器の冷却が行なわれるので、ＥＶ機器の冷却のために、専用の水循環ポンプまたは冷却ファンなどの機器を設ける必要はない。そのため、ＥＶ機器の冷却装置１のために必要な構成を低減でき、装置構成を単純にできるので、冷却装置１の製造コストを低減することができる。加えて、ＥＶ機器の冷却のためにポンプや冷却ファンなどの動力源を運転する必要がなく、動力源を運転するための消費動力を必要としない。したがって、ＥＶ機器の冷却のための消費動力を低減することができ、低動力でＥＶ機器を冷却することができる。
【００４６】
熱交換器１４から圧縮機１２へ向かう冷媒が流通する経路として、冷却部３０を通過しない経路と、冷却部３０を経由してＥＶ機器を冷却する冷媒の経路と、が並列に設けられる。そのため、熱交換器１４から流出した冷媒の一部のみが、冷却部３０へ流れる。熱交換器１４から熱交換器１５へ流れる冷媒と、冷却部３０を流れる冷媒と、の流量を調整する流量調整弁が設けられてもよく、この場合、流量調整により、ＥＶ機器の冷却のために必要な量の冷媒が冷却部３０へ流れ、ＥＶ機器は適切に冷却される。
【００４７】
熱交換器１４から冷却部３０を経由せず熱交換器１５，１８へ流れる冷媒の経路と、熱交換器１４から冷却部３０へ流れる冷媒の経路と、を並列に設け、一部の冷媒のみを冷媒通路３４，３６へ流通させることで、ＥＶ機器の冷却系に冷媒が流れる際の圧力損失を低減することができる。全ての冷媒が冷却部３０に流れないので、冷却部３０を経由する冷媒の流通に係る圧力損失を低減することができ、それに伴い、冷媒を循環させるための圧縮機１２の運転に必要な消費電力を低減することができる。
【００４８】
［冷却器３２の詳細構造］
以下、本実施の形態における冷却部３０に含まれる冷却器３２の構造について詳細に説明する。図２は、冷却器３２の構成を示す模式図である。
【００４９】
図２に示すように、冷却器３２は、筐体７０を有する。筐体７０は中空に形成されており、その内部に内部空間を規定する。冷却器３２の筐体７０は、矩形板状の外形を有する。筐体７０は、図２に示す矩形板状の形状に限られず、他の任意の形状を有してもよい。冷却器３２はまた、第一冷媒出入口７１と、第二冷媒出入口７２とを有する。第一冷媒出入口７１と第二冷媒出入口７２とは、筐体７０の形成する矩形の対角線上に配置されている。つまり、第一冷媒出入口７１は矩形の一の頂点の位置に設けられ、第二冷媒出入口７２は当該一の頂点と隣り合わない他の頂点の位置に設けられる。
【００５０】
第一冷媒出入口７１および第二冷媒出入口７２は、筐体７０の内部と外部とを連通し、一方が筐体７０の内部空間に冷媒が流入する流入口として機能し、他方が筐体７０から冷媒が流出する流出口として機能する。冷媒通路３４は第一冷媒出入口７１に連結され、冷媒通路３６は第二冷媒出入口７２に連結される。これにより、本実施の形態の構成では、第一冷媒出入口７１が流入口としての機能を有し、第二冷媒出入口７２が流出口としての機能を有する。
【００５１】
冷却部３０へ供給される冷媒は、冷媒通路３４から第一冷媒出入口７１を経由して冷却器３２の筐体７０内部の内部空間へ流入する。冷媒は、筐体７０の内部を第二冷媒出入口７２へ向かって流れる間に、ＥＶ機器と熱交換する。冷媒はさらに、第二冷媒出入口７２を経由して筐体７０から流出し、冷媒通路３６へ流れる。
【００５２】
筐体７０の外表面には、複数の突起７５が形成されている。突起７５は、発熱チップを固定する台座であり、発熱チップの絶縁および熱膨張の緩和を目的として設けられる。
【００５３】
図２には水平面６０が図示されている。水平面６０に対して垂直な鉛直方向において、第一冷媒出入口７１が相対的に下方に配置され、第二冷媒出入口７２が相対的に上方に配置されている。第一冷媒出入口７１と第二冷媒出入口７２とは高低差を有し、流入口として機能する第一冷媒出入口７１は、流出口として機能する第二冷媒出入口７２よりも、低く配置されている。矩形板状の筐体７０が、水平面６０に対して傾斜角θを有する方向に延び、第一冷媒出入口７１および第二冷媒出入口７２もまた、水平面６０に対して傾斜角θを有する方向に沿って延在している。
【００５４】
この構成により、冷却部３０内を流れる冷媒の流れが規定される。すなわち、筐体７０の内部でＥＶ機器から熱を受けて気化した気相冷媒は、液相冷媒よりも比重が小さいので、水平面６０に対し上方に向かって流れ、筐体７０の内部空間内を上昇する。筐体７０に対し流入口が相対的に低い位置に配置され、筐体７０に対し流出口が相対的に高い位置に配置されれば、流入口から筐体７０の内部に新たに供給される冷媒が筐体７０内部で気化した気相冷媒の上昇流を妨げることはない。そのため、筐体７０の内部を流れる冷媒は、水平面６０に対してスムーズに上向きに流れることができる。
【００５５】
筐体７０の下方から冷媒が流入するように流入口が設けられ、筐体７０の上方から冷媒が流出するように流出口が設けられることにより、筐体７０内部で冷媒を滞りなく流すことができる。これにより、筐体７０の内部空間内に局所的に気相冷媒が滞留するドライアウトが発生し冷却能力不足となることを回避でき、発熱源から冷媒への熱伝達を効率的に行なうことができる。流入口を経由して筐体７０に新たな冷媒を供給し続けることができるので、発熱源の冷却性能の低下を抑制でき、冷却器３２による発熱源の冷却能力を向上することができる。
【００５６】
［第二の運転モード］
図３は、冷却装置１の第二の運転モードを示す模式図である。第二の運転モードの冷却装置１は、図１に示す第一の運転モードの冷却装置１と同様に、圧縮機１２、熱交換器１４，１５、膨張弁１６および熱交換器１８が冷媒通路により直列に接続された構成を有する。図１に示す冷却部３０は、熱交換器１５，１８に対し並列に接続されていたのに対し、図３に示す第二の運転モードでは、冷却部３０は、熱交換器１４と熱交換器１５との間に設けられ、冷媒通路３７，３８を介して熱交換器１４，１５に対し直列に接続されている。図３に示す冷媒通路２１，３７，３８，２３〜２５は、圧縮機１２から吐出された冷媒を熱交換器１４を介して冷却部３０へ流す第一通路を形成する。
【００５７】
なお、冷媒通路２２，３４，３６，３７，３８と、冷媒通路の連通状態を切り替える図示しない切替弁と、を有するように冷却装置１を設け、当該切替弁を開閉操作することにより、第一の運転モードから第二の運転モードへの切り替えが行なわれる。第一の運転モードに比較してＥＶ機器の発熱量が小さく要求される冷却性能が小さくてよい場合に、第二の運転モードで冷却装置１を運転することができる。
【００５８】
第二の運転モードにおける冷却部３０を流れる冷媒の流れ方向は、図１に示す流れ方向に対して逆転している。図１および図３中の矢印により冷媒の流れ方向が示されるが、冷却部３０を流れる冷媒は、図１では図中右側から左側へ流れるのに対し、図３では逆方向の図中左側から右側へ流れている。上述したように、筐体７０の内部で冷媒を滞りなく流すためには、筐体７０の下方から冷媒を流入させ、筐体７０の上方から冷媒を流出させることが必要である。そのため、第二の運転モードでは、冷却器３２の姿勢が切り替えられ、第一冷媒出入口７１が筐体７０よりも高く配置され、第二冷媒出入口７２が筐体７０よりも低く配置される。
【００５９】
図４は、姿勢を切り替えた状態の冷却器３２を示す模式図である。冷却器３２は、その姿勢を変更するための姿勢切替部を有する。姿勢切替部は、水平面６０に対する冷却器３２の傾斜角θを変更することにより、第一冷媒出入口７１が第二冷媒出入口７２よりも低く配置される図２に示す第一姿勢と、第二冷媒出入口７２が第一冷媒出入口７１よりも低く配置される図４に示す第二姿勢と、を切り替える。冷却器３２が第二姿勢にあるとき、第二冷媒出入口７２が流入口として機能し、第一冷媒出入口７１が流出口として機能する。
【００６０】
姿勢切替部は、冷媒が第一冷媒出入口７１を経由して筐体７０に流入し筐体７０から第二冷媒出入口７２を経由して流出するとき、冷却器３２を第一姿勢とする。これにより冷媒は、第一冷媒出入口７１から第二冷媒出入口７２へ向かって筐体７０の内部を上昇し、筐体７０の内部を滞りなく流れる。姿勢切替部はまた、冷媒が第二冷媒出入口７２を経由して筐体７０に流入し筐体７０から第一冷媒出入口７１を経由して流出するとき、冷却器３２を第二姿勢とする。これにより冷媒は、第二冷媒出入口７２から第一冷媒出入口７１へ向かって筐体７０の内部を上昇し、筐体７０の内部を滞りなく流れる。
【００６１】
冷却器３２を、流入口が下側、流出口が上側となるように配置することにより、流出口から流入口への冷媒の流れが促進され、筐体７０内部での冷媒の滞留が抑制される。そのため、冷却器３２の姿勢を変更して、第一冷媒出入口７１と第二冷媒出入口７２との鉛直方向の相対位置を切り替えることにより、冷却器３２を流れる冷媒の流れ方向を決定付けることができる。図１および図３に示すように冷媒の流れ方向を逆転させ、逆方向に冷媒を流したい場合には、第一冷媒出入口７１と第二冷媒出入口７２との高低差の関係を逆転させて冷却器３２を配置すればよい。冷却器３２の姿勢変更により、冷却器３２を流れる冷媒の流れ方向が規定される。換言すれば、冷却器３２の姿勢を制御することにより、冷却器３２を流れる冷媒の流れ方向を規定し、冷却器３２に連続的に冷媒を供給することが可能になる。
【００６２】
［第三の運転モード］
図５は、冷却装置１の第三の運転モードを示す模式図である。第三の運転モードの冷却装置１は、図１に示す第一の運転モードの冷却装置１と同様に、圧縮機１２、熱交換器１４，１５、膨張弁１６および熱交換器１８が冷媒通路により直列に接続された構成を有する。図１に示す冷却部３０は、熱交換器１５，１８に対し並列に接続されていたのに対し、図５に示す第三の運転モードでは、冷却部３０は、冷媒通路４４，４６によって熱交換器１８に対し並列に接続されている。冷媒通路４４は、膨張弁１６で絞り膨張された冷媒が冷却部３０に流れるための通路である。冷媒通路４６は、冷却部３０から冷媒通路２５に冷媒を戻すための通路である。図５に示す冷媒通路２１〜２４，４４，４６，２５は、圧縮機１２から吐出された冷媒を熱交換器１４を介して冷却部３０へ流す第一通路を形成する。
【００６３】
なお、冷媒通路２２，３４，３６，４４，４６と、冷媒通路の連通状態を切り替える図示しない切替弁と、を有するように冷却装置１を設け、当該切替弁を開閉操作することにより、第一の運転モードから第三の運転モードへの切り替えが行なわれる。
【００６４】
たとえば外気温度の高い酷暑時など、冷却部３０における発熱源の冷却性能を高める必要がある場合には、膨張弁１６を通過した後の低温低圧の冷媒を使用して、発熱源を冷却することができる。図５に示す構成に替えて、冷媒通路２４と冷媒通路４４との分岐よりも下流側に膨張弁１６を配置し、熱交換器１４，１５で凝縮された後の冷媒を冷却部３０に供給する構成としてもよい。この場合、過冷却液状態の冷媒を用いて発熱源を冷却できるので、気液二相状態の冷媒を用いて発熱源を冷却する第一の運転モードと比較して、冷却性能を向上することができる。
【００６５】
第三の運転モードにおける冷却部３０を流れる冷媒の流れ方向は、図１に示す流れ方向に対して逆転している。図１および図５中の矢印により冷媒の流れ方向が示されるが、冷却部３０を流れる冷媒は、図１では図中右側から左側へ流れるのに対し、図５では逆方向の図中左側から右側へ流れている。そのため、第三の運転モードでは、図４を参照して説明した第二の運転モードと同様に、冷却器３２の姿勢が切り替えられ、第一冷媒出入口７１が筐体７０よりも高く配置され、第二冷媒出入口７２が筐体７０よりも低く配置される。
【００６６】
これにより冷媒は、第二冷媒出入口７２から第一冷媒出入口７１へ向かって筐体７０の内部を上昇し、筐体７０の内部を滞りなく流れる。冷却器３２を、流入口が下側、流出口が上側となるように配置することにより、流出口から流入口への冷媒の流れが促進され、筐体７０内部での冷媒の滞留が抑制される。冷却器３２の姿勢を変更して、第一冷媒出入口７１と第二冷媒出入口７２との鉛直方向の相対位置を切り替えることにより、冷却器３２を流れる冷媒の流れ方向を決定付けることができる。筐体７０内部で冷媒を連続的に流すことができるので、筐体７０の内部空間内に局所的に気相冷媒が滞留するドライアウトが発生し冷却能力不足となることを回避でき、発熱源から冷媒への熱伝達を効率的に行なうことができる。
【００６７】
［第四の運転モード］
図６は、冷却装置１の第四の運転モードを示す模式図である。図６に示す第四の運転モードでは、冷却部３０は冷媒通路３７，５１を介して熱交換器１４に接続されており、圧縮機１２を経由せずに冷却部３０と熱交換器１４との間に冷媒を循環させる、閉じられた環状の経路が形成されている。第四の運転モードでは、熱交換器１４から、冷媒通路５１を経由して冷却部３０へ至り、さらに冷媒通路３７を経由して熱交換器１４へ戻る、閉ループ状の冷媒の経路が形成される。圧縮機１２が停止したときに動力を加えることなく熱交換器１４と冷却器３２との間に冷媒を循環させる経路、すなわち冷媒通路３７，５１は、第二通路を形成する。
【００６８】
この環状の経路を経由して、圧縮機１２を動作することなく、熱交換器１４と冷却部３０との間に冷媒を循環させることができる。冷媒は、ＥＶ機器を冷却するとき、ＥＶ機器から蒸発潜熱を受けて蒸発する。ＥＶ機器との熱交換により気化された冷媒蒸気は、冷媒通路３７を経由して、熱交換器１４へ流れる。熱交換器１４において、車両の走行風、または、コンデンサファンもしくはエンジン冷却用のラジエータファンからの通風により、冷媒蒸気は冷却されて凝縮する。熱交換器１４で液化した冷媒液は、冷媒通路５１を経由して、冷却部３０へ戻る。
【００６９】
このように、冷却部３０と熱交換器１４とを経由する環状の経路によって、ＥＶ機器を加熱部とし熱交換器１４を冷却部とする、ヒートパイプが形成される。そのため、蒸気圧縮式冷凍サイクル１０が停止しているとき、すなわち車両用の冷房が停止しているときにも、圧縮機１２を起動する必要なく、無動力でＥＶ機器を効率よく冷却することができる。したがって、蒸気圧縮式冷凍サイクル１０の停止時のＥＶ機器の冷却能力の低下を防止できる。ＥＶ機器の冷却のために圧縮機１２を常時運転する必要がないので、圧縮機１２の消費動力を低減して車両の燃費を向上することができ、加えて、圧縮機１２を長寿命化できるので圧縮機１２の信頼性を向上することができる。
【００７０】
電気自動車の乗員は、車内前方の計器盤に設けられた空調用のコントロールパネルを操作することによって、車室内の冷房をＯＮからＯＦＦへ切り替える。この操作に伴い、ＥＶ機器を冷却するための冷却装置１の運転モードが、第四の運転モードへ切り替えられる。つまり、圧縮機１２から吐出された冷媒を冷却部３０へ流してＥＶ機器を冷却するための第一通路が遮断されるとともに、熱交換器１４と冷却部３０との間に自然循環により冷媒を循環させるための第二通路が連通される。このようにして、圧縮機１２を経由せずに冷却部３０に冷媒を供給できるようになる。圧縮機１２が停止した状態においても、ループ式ヒートパイプによって冷媒が自然循環して冷却部３０においてＥＶ機器を冷却することにより、冷却装置１によるＥＶ機器の冷却能力を維持することができる。
【００７１】
なお、図３に示す第二の運転モードの冷却装置１の構成に加えて、冷媒通路５１と、冷媒通路の連通状態を切り替える図示しない切替弁と、を有するように冷却装置１を設け、当該切替弁を開閉操作することにより、第二の運転モードから第四の運転モードへの切り替えが行なわれる。当該切替弁は、第一通路の連通と第二通路の連通とを切り替える機能を有する。
【００７２】
第四の運転モードにおける冷却部３０を流れる冷媒の流れ方向は、図３に示す流れ方向に対して逆転している。第二の運転モードにおいて冷媒が第一通路を流れるときと、第四の運転モードにおいて冷媒が第二通路を流れるときと、の冷却器３２内の冷媒の流れ方向は、逆方向とされている。図３および図６中の矢印により冷媒の流れ方向が示されるが、冷却部３０を流れる冷媒は、図３では図中左側から右側へ流れるのに対し、図６では逆方向の図中右側から左側へ流れている。そのため、第四の運転モードでは、第二の運転モードに対し冷却器３２の姿勢が切り替えられ、第二冷媒出入口７２が筐体７０よりも高く配置され、第一冷媒出入口７１が筐体７０よりも低く配置される。
【００７３】
これにより冷媒は、第一冷媒出入口７１から第二冷媒出入口７２へ向かって筐体７０の内部を上昇し、筐体７０の内部を滞りなく流れる。冷却器３２を、流入口が下側、流出口が上側となるように配置することにより、流出口から流入口への冷媒の流れが促進され、筐体７０内部での冷媒の滞留が抑制される。冷却器３２の姿勢を変更して、第一冷媒出入口７１と第二冷媒出入口７２との鉛直方向の相対位置を切り替えることにより、冷却器３２を流れる冷媒の流れ方向を決定付けることができる。筐体７０内部で冷媒を連続的に流すことができるので、筐体７０の内部空間内に局所的に気相冷媒が滞留するドライアウトが発生し冷却能力不足となることを回避でき、発熱源から冷媒への熱伝達を効率的に行なうことができる。
【００７４】
ループ式ヒートパイプによって冷媒を自然循環させる第四の運転モードにおいては、冷却器の出入口の高低差を逆転することにより、冷媒の循環方向を変更することができる。たとえば、旋回時もしくは加減速時などの車両の走行状態、または熱交換器１４の特性などによって、いずれかの流れ方向を規定することで冷媒の循環がより促進される場合が考えられる。現在の冷媒の流れ方向と逆方向が冷媒の循環のためにより好ましい場合には、冷却器３２の姿勢を変更して第一冷媒出入口７１と第二冷媒出入口７２との鉛直方向の相対位置を切り替えることにより、冷媒の流れ方向を逆転させて、発熱源をより効率よく冷却することができる。
【００７５】
なお、これまでの実施の形態においては、ＥＶ機器を例として車両に搭載された電気機器を冷却する冷却装置１について説明した。電気機器としては、少なくとも作動によって熱を発生させる電気機器であれば、インバータ、モータジェネレータなどの例示された電気機器に限定されるものではなく、任意の電気機器であってもよい。冷却の対象となる電気機器が複数個ある場合においては、複数の電気機器は、冷却の目標となる温度範囲が共通していることが望ましい。冷却の目標となる温度範囲は、電気機器を作動させる温度環境として適切な温度範囲である。
【００７６】
さらに、本発明の冷却装置１により冷却される発熱源は、車両に搭載された電気機器に限られず、熱を発生する任意の機器、または任意の機器の発熱する一部分であってもよい。
【００７７】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【産業上の利用可能性】
【００７８】
本発明の冷却装置は、モータジェネレータおよびインバータなどの電気機器を搭載するハイブリッド車、燃料電池車、電気自動車などの車両における、車内の冷房を行なうための蒸気圧縮式冷凍サイクルを使用した電気機器の冷却に、特に有利に適用され得る。
【符号の説明】
【００７９】
１  冷却装置、１０  蒸気圧縮式冷凍サイクル、１２  圧縮機、１４，１５，１８  熱交換器、１６  膨張弁、２１〜２５，３４，３６〜３８，４４，４６，５１  冷媒通路、３０  冷却部、３２  冷却器、６０  水平面、７０  筐体、７１  第一冷媒出入口、７２  第二冷媒出入口、７５  突起。
【図１】
2014051118.tif 000003
【図２】
2014051118.tif 000004
【図３】
2014051118.tif 000005
【図４】
2014051118.tif 000006
【図５】
2014051118.tif 000007
【図６】
2014051118.tif 000008